(57)【特許請求の範囲】
【請求項１】
基地局から送信された信号を受信して復調する受信装置において、
前記基地局から送信され、複数のパスを経由して伝送されてきた信号を受信する受信手段と、
前記受信手段によって受信された受信信号のそれぞれのパスのタイミングを検出するためのパス追従手段と、
前記パス追従手段によって検出された複数のパスのタイミングに応じて、前記受信信号に逆拡散処理を施して復調する復調手段と、
前記受信信号と、拡散符号との相関値を算出する相関値算出手段と、
前記パス追従手段によってパス追従処理を行う場合には、前記相関値算出手段の出力を前記パス追従手段に供給し、前記復調手段によって前記受信信号を復調する場合には、前記相関値算出手段の出力を前記復調手段に供給する供給先選択手段と、
前記復調手段によって復調された信号を参照し、前記受信信号のレベル測定を行うレベル測定手段と、
を有し、
前記パス追従手段は、前記相関値算出手段の出力を積分する積分手段を有し、
前記レベル測定手段は、前記積分手段の出力を利用して前記受信信号のレベル測定を行うことを特徴とする受信装置。
【請求項２】
前記パス追従手段は、前記積分手段の出力から前記受信信号の電力を算出する電力算出手段を有し、
前記レベル測定手段は、前記積分手段と、前記電力算出手段の出力を参照して前記受信信号のレベル測定を行う、
ことを特徴とする請求項１記載の受信装置。
【請求項３】
前記供給先選択手段は、前記相関値算出手段の出力を所定の周期でパス追従手段に供給することを特徴とする請求項１記載の受信装置。
【請求項４】
前記所定の周期は、前記基地局との状況に応じて適宜変更されることを特徴とする請求項３記載の受信装置。
【請求項５】
前記相関値算出手段は、マッチトフィルタによって構成されていることを特徴とする請求項１記載の受信装置。
【請求項６】
前記相関値算出手段の出力から所望のパスに対応するデータを選択し、前記復調手段に供給するパス選択手段を更に有することを特徴とする請求項５記載の受信装置。
【請求項７】
基地局から送信された信号を受信して復調する受信方法において、
前記基地局から送信され、複数のパスを経由して伝送されてきた信号を受信する受信ステップと、
前記受信ステップによって受信された受信信号のそれぞれのパスのタイミングを検出するためのパス追従ステップと、
前記パス追従ステップによって検出された複数のパスのタイミングに応じて、前記受信信号に逆拡散処理を施して復調する復調ステップと、
前記受信信号と、拡散符号との相関値を算出する相関値算出ステップと、
前記パス追従ステップによってパス追従処理を行う場合には、前記相関値算出ステップの出力を前記パス追従ステップに供給し、前記復調ステップによって前記受信信号を復調する場合には、前記相関値算出ステップの出力を前記復調ステップに供給する供給先選択ステップと、
前記復調ステップによって復調された信号を参照し、前記受信信号のレベル測定を行うレベル測定ステップと、
を有し、
前記パス追従ステップでは、前記相関値算出ステップの出力を積分し、
前記レベル測定ステップでは、前記積分の出力を利用して前記受信信号のレベル測定を行うことを特徴とする受信方法。
【請求項８】
基地局から送信された信号を処理する半導体装置において、
複数のパスを経由して受信された受信信号のそれぞれのパスのタイミングを検出するためのパス追従手段と、
前記パス追従手段によって検出された複数のパスのタイミングに応じて、前記受信信号に逆拡散処理を施し、もとのデータに復調する復調手段と、
前記受信信号と、拡散符号との相関値を算出する相関値算出手段と、
前記パス追従手段によってパス追従処理を行う場合には、前記相関値算出手段の出力を前記パス追従手段に供給し、前記復調手段によって前記受信信号を復調する場合には、前記相関値算出手段の出力を前記復調手段に供給する供給先選択手段と、
前記復調手段によって復調された信号を参照し、前記受信信号のレベル測定を行うレベル測定手段と、
を有し、
前記パス追従手段は、前記相関値算出手段の出力を積分する積分手段を有し、
前記レベル測定手段は、前記積分手段の出力を利用して前記受信信号のレベル測定を行うことを特徴とする半導体装置。
【発明の詳細な説明】
【０００１】
【発明の属する技術分野】
本発明は受信装置、受信方法、および、半導体装置に関し、特に、基地局から送信された信号を受信して復調する受信装置、受信方法、および、基地局から送信された信号を処理する半導体装置に関する。
【０００２】
【従来の技術】
例えば、Ｗ−ＣＤＭＡ（Wideband Code Division Multiple Access）通信方式では、送信すべき信号は拡散符号によって拡散された後、送信される。移動機では、受信データの最適なパスタイミングを選択し、逆拡散、同期検波、レイク合成することによって、データを得ることができる。
【０００３】
通常は、初期同期がとれた後も、移動等による通話チャネルの変化に伴い、頻繁にパスタイミングを追従する必要がある。そのため移動機には受信チャネルのパスタイミングをモニタするパス追従部が設けられている。
【０００４】
また、Ｗ−ＣＤＭＡ通信方式では、高速移動中でも常に安定した通信を実現するため、データ受信中においても、接続する基地局を随時最適な基地局に切り替えるハンドオーバー制御がおこなわれている。そのため、現在接続している基地局以外の周辺の基地局についてもデータの受信レベル（例えば、ＳＩＲ：Signal-to-Interference Ratio）をモニタしなければならない。したがって、接続中の基地局のデータに加えて、その他の基地局からのデータについても、逆拡散、同期検波し、レベル測定を行わなければならない。
【０００５】
図８に従来のＷ−ＣＤＭＡ通信方式の受信装置のパス追従部とデータ復調部のブロック図を示す。
この図に示すように、従来のＷ−ＣＤＭＡ通信方式の受信装置は、アンテナ１０、受信回路１１、Ａ／Ｄ変換回路１２、パス追従部２０、データ復調部３０、ＲＡＫＥ合成回路４０、レベル測定回路４１、および、電力化回路４２によって構成されている。
【０００６】
ここで、アンテナ１０は、基地局から伝送されてきた電波を捕捉する。
受信回路１１は、アンテナ１０によって捕捉された電波を、対応する電気信号に変換する。
【０００７】
Ａ／Ｄ変換回路１２は、受信回路１１から出力された電気信号（アナログ信号）を、対応するディジタル信号（以下、受信データと称する）に変換して出力する。
【０００８】
パス追従部２０は、相関回路２１、積分回路２２、電力化回路２３、積分回路２４、および、パス選択回路２５によって構成され、受信信号から電力の大きいパスを選択し、そのタイミングをパス情報としてデータ復調部３０に出力する。
【０００９】
ここで、相関回路２１は、Ａ／Ｄ変換回路１２から供給された受信データと、拡散符号である所定のコードとの相関値を算出し、積分回路２２に出力する。
積分回路２２は、相関回路２１から出力されたデータを、スロット単位で積分し、得られた結果を出力する。
【００１０】
電力化回路２３は、積分回路２２から出力されたデータの相乗平均を計算して出力する。
積分回路２４は、電力化回路２３からの出力を、フレーム単位で積分し、得られた結果を出力する。
【００１１】
パス選択回路２５は、積分回路２４から出力されたデータを観察し、電力値の大きいパスを上位から数パス選択し、そのタイミングをパス情報として出力する。
【００１２】
データ復調部３０は、演算部３１−１〜３１−ｎ、メモリ３２、同期検波回路３３、および、チャネル推定回路３４によって構成されており、パス情報に応じて、拡散符号と受信データとの相関値を演算し、同期検波を行った後、出力する。
【００１３】
ここで、演算部３１−１は、相関回路３１−１ａおよびコード発生回路３１−１ｂによって構成され、パス選択回路２５から供給されるパス情報に応じたタイミングで受信データと、コード発生回路３１−１ｂから供給される拡散符号との相関値を相関回路３１−１ａが演算して出力する。
【００１４】
なお、演算部３１−２〜３１−ｎも同様の構成となっているので、その説明は省略する。
メモリ３２は、演算部３１−１〜３１−ｎから出力されたデータを、予め決められた領域に格納する。
【００１５】
同期検波回路３３は、メモリ３２に格納されているデータに対して同期検波処理を施して出力する。
チャネル推定回路３４は、メモリ３２に格納されているデータを、フレーム単位で積分して出力する。
【００１６】
ＲＡＫＥ合成回路４０は、同期検波回路３３から出力された、逆拡散によって分離された各パスごとの信号を時間と位相をそろえて合成し、出力する。
レベル測定回路４１は、ＲＡＫＥ合成回路４０から出力されたデータのレベルを測定する。
【００１７】
電力化回路４２は、チャネル推定回路３４から出力されたデータの相乗平均を算出し、レベル測定回路４１に供給する。
次に、以上の従来例の動作について説明する。
【００１８】
アンテナ１０は、基地局から伝送されてきた電波を捕捉し、受信回路１１に供給する。
受信回路１１は、アンテナ１０によって捕捉された電波を、対応する電気信号に変換して出力する。
【００１９】
Ａ／Ｄ変換回路１２は、受信回路１１から供給された電気信号（アナログ信号）を対応するディジタル信号に変換し、パス追従部２０とデータ復調部３０とにそれぞれ供給する。
【００２０】
相関回路２１は、Ａ／Ｄ変換回路１２から供給された受信データと、図示せぬ他のブロックから供給された受信中の基地局に対応する拡散符号との相関値を演算して出力する。
【００２１】
積分回路２２は、相関回路２１から出力されたデータを、スロット単位で積分し、出力する。
電力化回路２３は、積分回路２２によってスロット単位で積分されたデータの相乗平均を算出し、これを受信信号の電力を示すデータとして出力する。
【００２２】
積分回路２４は、電力化回路２３から出力されたデータを、フレーム単位（スロットよりも大きい単位）で積分し、出力する。
パス選択回路２５は、積分回路２４から出力されたデータを参照し、受信信号の電力が大きいパスを上位から数個（この例ではｎ個）選択し、そのタイミングをパス情報として出力する。
【００２３】
データ復調部３０の演算部３１−１〜３１−ｎは、パス選択回路２５から供給されたパス情報が示すタイミングに同期して、それぞれのコード発生回路から供給される拡散符号と、Ａ／Ｄ変換回路１２から供給される受信データとの相関値を演算して出力する。
【００２４】
メモリ３２は、演算部３１−１〜３１−ｎから出力されたデータを、予め決められた所定の領域にそれぞれ格納する。
チャネル推定回路３４は、パイロット信号（基準信号）を１スロット分だけ積分し、伝送路（チャネル）の状態を示す信号を生成し、同期検波回路３３と、電力化回路４２にそれぞれ供給する。
【００２５】
ＲＡＫＥ合成回路４０は、同期検波回路３３から出力された、逆拡散によって分離された各パスごとの信号を時間と位相をそろえて合成し、出力する。
レベル測定回路４１は、ＲＡＫＥ合成回路４０から出力されたデータのレベルを測定する。
【００２６】
電力化回路４２は、チャネル推定回路３４から出力されたデータの相乗平均を算出し、レベル測定回路４１に供給する。
【００２７】
【発明が解決しようとする課題】
しかし、以上に示す従来の受信装置は、相関回路２１および相関回路３１−１ａ〜３１−ｎａの（ｎ＋１）個の相関回路を有している。一般的に、相関回路は、回路面積を多く必要とするので、回路規模が大きくなってしまうという問題点があった。
【００２８】
本発明は、以上のような点に鑑みてなされたものであり、回路規模を縮減することが可能な受信装置を提供することを目的とする。
【００２９】
【課題を解決するための手段】
本発明では上記課題を解決するために、基地局から送信された信号を受信して復調する受信装置において、前記基地局から送信され、複数のパスを経由して伝送されてきた信号を受信する受信手段と、前記受信手段によって受信された受信信号のそれぞれのパスのタイミングを検出するためのパス追従手段と、前記パス追従手段によって検出された複数のパスのタイミングに応じて、前記受信信号に逆拡散処理を施して復調する復調手段と、前記受信信号と、拡散符号との相関値を算出する相関値算出手段と、前記パス追従手段によってパス追従処理を行う場合には、前記相関値算出手段の出力を前記パス追従手段に供給し、前記復調手段によって前記受信信号を復調する場合には、前記相関値算出手段の出力を前記復調手段に供給する供給先選択手段と、前記復調手段によって復調された信号を参照し、前記受信信号のレベル測定を行うレベル測定手段と、を有し、前記パス追従手段は、前記相関値算出手段の出力を積分する積分手段を有し、前記レベル測定手段は、前記積分手段の出力を利用して前記受信信号のレベル測定を行うことを特徴とする受信装置が提供される。
【００３０】
ここで、受信手段は、基地局から送信され、複数のパスを経由して伝送されてきた信号を受信する。パス追従手段は、受信手段によって受信された受信信号のそれぞれのパスのタイミングを検出する。復調手段は、パス追従手段によって検出された複数のパスのタイミングに応じて、受信信号に逆拡散処理を施して復調する。相関値算出手段は、受信信号と、拡散符号との相関値を算出する。供給先選択手段は、パス追従手段によってパス追従処理を行う場合には、相関値算出手段の出力をパス追従手段に供給し、復調手段によって受信信号を復調する場合には、相関値算出手段の出力を復調手段に供給する。レベル測定手段は、復調手段によって復調された信号を参照し、受信信号のレベル測定を行う。パス追従手段は、相関値算出手段の出力を積分する積分手段を有し、レベル測定手段は、積分手段の出力を利用して受信信号のレベル測定を行う。
【００３１】
【発明の実施の形態】
以下、本発明の実施の形態を図面を参照して説明する。
図１は、本発明の動作原理を説明する原理図である。
【００３２】
この図に示すように、本発明の受信装置は、アンテナ１、受信手段２、相関値算出手段３、供給先選択手段４、パス追従手段５、復調手段６、および、レベル測定手段７によって構成されている。
【００３３】
ここで、受信手段２は、基地局から送信され、複数のパスを経由して伝送されてきた信号をアンテナ１を介して受信する。
パス追従手段５は、受信手段２によって受信された受信信号のそれぞれのパスのタイミングを検出する。
【００３４】
復調手段６は、パス追従手段５によって検出された複数のパスのタイミングに応じて、受信信号に逆拡散処理を施して復調する。
相関値算出手段３は、受信信号と、拡散符号との相関値を算出する。
【００３５】
供給先選択手段４は、パス追従手段５によってパス追従処理を行う場合には、相関値算出手段３の出力をパス追従手段５に供給し、復調手段６によって受信信号を復調する場合には、相関値算出手段３の出力を復調手段６に供給する。
【００３６】
レベル測定手段７は、復調手段６によって復調された信号を参照し、受信信号のレベル測定を行う。
次に、以上の原理図の動作について説明する。
【００３７】
受信手段２は、基地局から送信されてきた電波をアンテナ１を介して受信し、対応する電気信号に変換する。
相関値算出手段３は、受信手段２から供給された受信信号と、拡散符号との相関値を算出し、供給先選択手段４に供給する。なお、拡散符号は、基地局によって異なるので、現在接続中である基地局の拡散符号が相関値算出手段３に供給され、そこに格納される。
【００３８】
供給先選択手段４は、所定の基地局との通信が開始された場合には、先ず、パス追従手段５に対して、処理結果のデータを供給する。
その結果、パス追従手段５は、複数のパスを経由して伝送されてきた受信信号のうち、その電力が大きいものを数個選択し、そのタイミングをパス情報として復調手段６に供給する。
【００３９】
復調手段６は、パス追従手段５から供給されたパス情報に応じて、相関値算出手段３から供給されたデータを復調し、レベル測定手段７に供給する。
レベル測定手段７は、復調手段６から供給された信号のレベルを測定する。
【００４０】
ところで、パス追従手段５によるパス追従処理は、所定の周期（例えば、５０ｍｓｅｃ）毎に実行すれば事足りるので、それ以外の期間は、相関値算出手段３の出力は復調手段６に供給することができる。
【００４１】
従って、本発明によれば、相関値算出手段３を共用することが可能になるので、回路規模を縮減することが可能になる。
なお、通信相手となる基地局が変化した場合には、前述の所定の周期によらず、供給先選択手段４は、パス追従手段５に相関値を供給し、パスの追従処理を行わせる。
【００４２】
次に、本発明の実施の形態について説明する。
図２は、本発明の第１の実施の形態の構成例を示す図である。この図に示すように、本発明の受信装置は、アンテナ１０、受信回路１１、Ａ／Ｄ変換回路１２、パス追従部２０、データ復調部３０、ＲＡＫＥ合成回路４０、レベル測定回路４１、および、電力化回路４２によって構成されている。
【００４３】
ここで、アンテナ１０は、基地局から伝送されてきた電波を捕捉する。
受信回路１１は、アンテナ１０によって捕捉された電波を、対応する電気信号に変換する。
【００４４】
Ａ／Ｄ変換回路１２は、受信回路１１から出力された電気信号（アナログ信号）を、対応するディジタル信号に変換して出力する。
パス追従部２０は、相関回路２１、積分回路２２、電力化回路２３、積分回路２４、および、パス選択回路２５によって構成され、受信信号から電力の大きいパスを選択し、パス情報としてデータ復調部３０に出力する。
【００４５】
ここで、相関回路２１は、Ａ／Ｄ変換回路１２から供給された受信データと、拡散符号である所定のコードとの相関値を算出し、積分回路２２に出力する。
図３は、相関回路２１の詳細な構成例を示す図である。
【００４６】
この図に示すように、相関回路２１は、ＦＦ（Flip Flop）８０−１〜８０−Ｎ、ＦＦ８１−１〜８１−Ｎ、乗算回路８２−１〜８２−Ｎ、および、加算回路８３によって構成されている。
【００４７】
ＦＦ８０−１〜８０−Ｎには、Ａ／Ｄ変換回路１２から出力された受信データが入力され、図示せぬクロック発生回路から供給されるクロック信号に同期して、次段のＦＦへ順次移送される。その結果、受信データはクロック信号の周期に応じて遅延されつつ、ＦＦ８０−１〜８０−Ｎを順次移送されることになる。
【００４８】
ＦＦ８１−１〜８１−Ｎには、拡散符号であるコードが入力されるが、ＦＦ８０−１〜８０−Ｎとは異なり、全コードが入力された場合には、クロックの供給が中止され、入力されたデータが保持されることになる。
【００４９】
乗算回路８２−１〜８２−Ｎは、ＦＦ８０−１〜８０−Ｎから供給されたデータと、ＦＦ８１−１〜８１−Ｎから供給されたデータのそれぞれを乗算し、得られた結果を出力する。
【００５０】
加算回路８３は、乗算回路８２−１〜８２−Ｎから出力されたデータの総和を演算して出力する。
その結果、加算回路８３からは、受信データと、拡散符号との相関値が出力されることになる。
【００５１】
なお、以上の相関回路２１は、いわゆる「マッチトフィルタ」と呼ばれる回路である。ところで、相関回路としては、図４に示すような「スライディング相関回路」も存在する。
【００５２】
この例では、スライディング相関回路７０は、コード発生回路７１、乗算回路７２、加算回路７３、および、ＦＦ７４によって構成されている。コード発生回路７１は、受信タイミング信号が供給された場合には、拡散符号の発生を開始して乗算回路７２に供給する。
【００５３】
乗算回路７２は、受信データと拡散符号との乗算を行い、得られた結果を出力する。
加算回路７３は、ＦＦ７４から出力されたひとつ前の出力データ（逆拡散データ）と、乗算回路７２から出力されたデータとを加算し、出力する。
【００５４】
ＦＦ７４は、加算回路７３から出力されたデータを一時的に格納し、乗算回路７２から次のデータが出力されるタイミングで、格納しているデータを読み出して供給する。
【００５５】
その結果、ＦＦ７４からは、受信データと拡散符号との相関値が出力されることになる。
スライディング相関回路と、マッチトフィルタとを比較すると、スライディング相関回路の方が構成が簡単であるが、定められたタイミングでしか相関値を演算できないという欠点がある。即ち、マッチトフィルタの場合は、時々刻々と入力される受信データと、拡散符号との相関値を演算して出力する。本発明ではこの性質を用いて、相関回路をパス追従部２０とデータ復調部３０とで共用することを可能とした。
【００５６】
図２に戻って、積分回路２２は、相関回路２１から出力されたデータを、スロット単位で積分し、得られた結果を出力する。
電力化回路２３は、積分回路２２から出力されたデータの相乗平均を計算して出力する。
【００５７】
積分回路２４は、電力化回路２３からの出力を、フレーム単位で積分し、得られた結果を出力する。
パス選択回路２５は、積分回路２４から出力されたデータを観察し、電力値の大きいパスを上位から数パス選択し、そのタイミングをパス情報として出力する。
【００５８】
データ復調部３０は、選択回路５０、メモリ３２、同期検波回路３３、および、チャネル推定回路３４によって構成されており、パス情報に応じて、拡散符号と受信データとの相関値を演算し、同期検波を行った後、出力する。
【００５９】
ここで、選択回路５０は、パス選択回路２５によって選択されたパスに対応するデータを相関回路２１の出力から選択して出力する。
メモリ３２は、選択回路５０から出力されたデータを、予め決められた領域に格納する。
【００６０】
同期検波回路３３は、メモリ３２に格納されているデータに対して同期検波処理を施して出力する。
チャネル推定回路３４は、メモリ３２に格納されているデータを、フレーム単位で積分することにより、チャネル推定信号を生成して出力する。
【００６１】
ＲＡＫＥ合成回路４０は、同期検波回路３３から出力された、逆拡散によって分離された各パスごとの信号を時間と位相をそろえて合成し、出力する。
レベル測定回路４１は、ＲＡＫＥ合成回路４０から出力されたデータのレベルを測定する。
【００６２】
電力化回路４２は、チャネル推定回路３４から出力されたデータの相乗平均を算出し、レベル測定回路４１に供給する。
次に、以上の実施の形態の動作について説明する。
【００６３】
アンテナ１０は、基地局から伝送されてきた電波を捕捉し、受信回路１１に供給する。
受信回路１１は、アンテナ１０によって捕捉された電波を、対応する電気信号に変換して出力する。
【００６４】
Ａ／Ｄ変換回路１２は、受信回路１１から供給された電気信号（アナログ信号）を対応するディジタル信号に変換し、パス追従部２０とデータ復調部３０とにそれぞれ供給する。
【００６５】
相関回路２１は、通信を行おうとする基地局固有の拡散符号を図示せぬ他のブロックから取得し、ＦＦ８１−１〜８１−Ｎに格納する。そして、Ａ／Ｄ変換回路１２から受信データの供給が開始された場合には、ＦＦ８０−１〜８０−Ｎにより受信データを逐次遅延し、乗算回路８２−１〜８２−Ｎにそれぞれ供給する。
【００６６】
乗算回路８２−１〜８２−Ｎは、ＦＦ８０−１〜８０−Ｎから出力される受信データと、ＦＦ８１−１〜８１−Ｎから出力される拡散符号とをそれぞれ乗算し、得られた結果を出力する。
【００６７】
加算回路８３は、乗算回路８２−１〜８２−Ｎから出力されたデータの総和を演算し、逆拡散データとして出力する。
相関回路２１から出力されたデータは、積分回路２２に供給され、そこで、１スロット分だけ積分され、出力される。
【００６８】
電力化回路２３は、積分回路２２によってスロット単位で積分されたデータの相乗平均を算出し、これを受信信号の電力を示すデータとして出力する。
積分回路２４は、電力化回路２３から出力されたデータを、フレーム単位（スロットよりも大きい単位）で積分し、出力する。
【００６９】
パス選択回路２５は、積分回路２４から出力されたデータを参照し、受信信号の電力が大きいパスを上位から数個（この例ではｎ個）選択し、そのタイミングをパス情報として出力する。
【００７０】
パス選択回路２５から出力されたパス情報は、選択回路５０に供給される。
選択回路５０は、相関回路２１から出力される相関値のうち、電力が大きい順に数個のパスに対応するデータを選択し、メモリ３２に供給する。
【００７１】
なお、積分回路２２以降のブロックは、所定の周期で動作するか、または、基地局が変化した場合に動作し、その時点において、受信信号の電力が大きい数個のパスを選択し、選択回路５０に通知する。
【００７２】
メモリ３２は、選択回路５０によって選択されたデータを、予め決められた所定の領域にそれぞれ格納する。
チャネル推定回路３４は、パイロット信号（基準信号）を１スロット分だけ積分し、伝送路（チャネル）の状態を示す信号を生成し、同期検波回路３３と、電力化回路４２にそれぞれ供給する。
【００７３】
ＲＡＫＥ合成回路４０は、同期検波回路３３から出力された、逆拡散によって分離された各パスごとの信号を時間と位相をそろえて合成し、出力する。
レベル測定回路４１は、ＲＡＫＥ合成回路４０から出力されたデータのレベルを測定する。
【００７４】
電力化回路４２は、チャネル推定回路３４から出力されたデータの相乗平均を算出し、レベル測定回路４１に供給する。
以上の処理によれば、相関回路２１を、パス追従部２０とデータ復調部３０とで共用することが可能になるので、回路規模を削減することが可能になる。
【００７５】
なお、以上の実施の形態では、選択回路５０により、相関回路２１の出力を選択するようにしたが、例えば、メモリ３２に全てのデータを格納しておき、パス選択回路２５の出力に応じたデータのみを、メモリ３２から読み出すようにしてもよい。
【００７６】
図５は、以上の動作を説明するフローチャートである。このフローチャートが開始されると、以下のステップが実行される。
ステップＳ１０：
相関回路２１は、拡散符号であるコードを、ＦＦ８１−１〜８１−Ｎに対して設定する。
【００７７】
ステップＳ１１：
相関回路２１は、Ａ／Ｄ変換回路１２から出力された受信データを、ＦＦ８０−１〜８０−Ｎに供給し、拡散符号との相関値を算出する。
【００７８】
ステップＳ１２：
相関回路２１は、相関値の演算結果を、パス追従部２０に供給する。
ステップＳ１３：
パス選択回路２５は、相関回路２１の出力を演算した結果得られたパス情報を、データ復調部３０の選択回路５０に供給する。
【００７９】
ステップＳ１４：
相関回路２１は、Ａ／Ｄ変換回路１２から出力された受信データを、ＦＦ８０−１〜８０−Ｎに供給し、拡散符号との相関値を算出する。
【００８０】
ステップＳ１５：
相関回路２１は、データ復調部３０の選択回路５０に対して、演算結果のデータを供給する。
【００８１】
ステップＳ１６：
図示せぬ制御部は、処理を終了するか否かを判定し、処理を終了しない場合にはステップＳ１７に進み、それ以外の場合には処理を終了する。
【００８２】
ステップＳ１７：
図示せぬ制御部は、基地局との間の拡散符号であるコードが変化したか否かを判定し、コードが変化した場合にはステップＳ１８に進み、それ以外の場合にはステップＳ１４に戻って同様の処理を繰り返す。
【００８３】
ステップＳ１８：
図示せぬ制御部は、処理を終了するか否かを判定し、処理を終了しない場合にはステップＳ１０に進み、それ以外の場合には処理を終了する。
【００８４】
以上の処理によれば、前述した機能を実現することができる。
次に、本発明の第２の実施の形態について説明する。
図６は、本発明の第２の実施の形態の構成例を示すブロック図である。なお、この図において、図２と対応する部分には同一の符号を付してあるので、その説明は省略する。
【００８５】
この実施の形態では、図２の場合と比較し、チャネル推定回路３４が除外されており、また、メモリ６０が付加され、積分回路２２の出力が供給されている。それ以外の構成は、図２の場合と同様である。
【００８６】
メモリ６０は、積分回路２２から出力されたデータを一時的に格納し、同期検波回路３３と、電力化回路４２に供給する。
図２に示すチャネル推定回路３４は、メモリ３２に格納されているデータを１スロット分だけ積分する処理を実行するが、この動作は積分回路２２の動作と同様である。従って、第２の実施の形態では、積分回路２２とチャネル推定回路３４とを共用することにより、チャネル推定回路３４を省略することとした。
【００８７】
なお、第２の実施の形態の動作は、チャネル推定回路３４の代わりに、積分回路２２が１スロット分の積分を行う以外は、図２に示す場合と同様であるのでその詳細な説明は省略する。
【００８８】
以上の実施の形態によれば、積分回路２２を、パス追従部２０と、データ復調部３０とで共用することが可能になるので、回路規模を更に縮減することが可能になる。
【００８９】
次に、本発明の第３の実施の形態について説明する。
図７は、本発明の第３の実施の形態の構成例を示すブロック図である。なお、この図において、図６と対応する部分には同一の符号を付してあるので、その説明は省略する。
【００９０】
この実施の形態では、図６の場合と比較し、電力化回路４２が省略されており、また、電力化回路２３の出力が、レベル測定回路４１に供給されている。それ以外の構成は、図６の場合と同様である。
【００９１】
電力化回路２３は、積分回路２２から出力されるデータの相乗平均を算出し、積分回路２４と、レベル測定回路４１のそれぞれに供給する。
図６に示す電力化回路４２は、メモリ６０から出力されたデータの相乗平均を算出する処理を実行しており、これは電力化回路２３の処理と同様である。従って、本発明の第３の実施の形態では、電力化回路２３と、電力化回路４２とを共用することにより、電力化回路４２を省略することとした。
【００９２】
なお、第３の実施の形態の動作は、電力化回路４２の代わりに、電力化回路２３がデータを電力化する処理を実行する以外は、第２の実施の形態の場合と同様であるので、その詳細な説明については省略する。
【００９３】
以上の実施の形態によれば、電力化回路２３を、パス追従部２０と、データ復調部３０とで共用することが可能になるので、回路規模を更に縮減することが可能になる。
【００９４】
なお、以上の実施の形態に示す、パス追従部２０と、データ復調部３０とは、半導体装置として構成することが可能である。また、その周辺回路（例えば、Ａ／Ｄ変換回路１２、ＲＡＫＥ合成回路４０、レベル測定回路４１）も併せて半導体装置として構成することも可能である。
【００９５】
（付記１）  基地局から送信された信号を受信して復調する受信装置において、
前記基地局から送信され、複数のパスを経由して伝送されてきた信号を受信する受信手段と、
前記受信手段によって受信された受信信号のそれぞれのパスのタイミングを検出するためのパス追従手段と、
前記パス追従手段によって検出された複数のパスのタイミングに応じて、前記受信信号に逆拡散処理を施して復調する復調手段と、
前記受信信号と、拡散符号との相関値を算出する相関値算出手段と、
前記パス追従手段によってパス追従処理を行う場合には、前記相関値算出手段の出力を前記パス追従手段に供給し、前記復調手段によって受信信号を復調する場合には、前記相関値算出手段の出力を前記復調手段に供給する供給先選択手段と、
を有することを特徴とする受信装置。
【００９６】
（付記２）  前記復調手段によって復調された信号を参照し、受信信号のレベル測定を行うレベル測定手段を更に有することを特徴とする付記１記載の受信装置。
【００９７】
（付記３）  前記パス追従手段は、前記相関値算出手段の出力を積分する積分手段を有し、
前記レベル測定手段は、前記積分手段の出力を利用して受信信号のレベル測定を行う、
ことを特徴とする付記２記載の受信装置。
【００９８】
（付記４）  前記パス追従手段は、前記積分器の出力から受信信号の電力を算出する電力算出手段を有し、
前記レベル測定手段は、前記積分手段と、前記電力算出手段の出力を参照して受信信号のレベル測定を行う、
ことを特徴とする付記３記載の受信装置。
【００９９】
（付記５）  前記レベル測定手段は、ＲＡＫＥ合成によりレベルの測定を行うことを特徴とする付記２記載の受信装置。
（付記６）  前記供給先選択手段は、前記相関値算出手段の出力を所定の周期でパス追従手段に供給することを特徴とする付記１記載の受信装置。
【０１００】
（付記７）  前記所定の周期は、前記基地局との状況に応じて適宜変更されることを特徴とする付記６記載の受信装置。
（付記８）  前記相関値算出手段は、マッチトフィルタによって構成されていることを特徴とする付記１記載の受信装置。
【０１０１】
（付記９）  前記相関値算出手段の出力から所望のパスに対応するデータを選択し、前記復調手段に供給するパス選択手段を更に有することを特徴とする付記８記載の受信装置。
【０１０２】
（付記１０）  前記パス選択手段は、前記相関値算出手段からの出力データを半導体メモリに一時的に格納し、前記パス追従手段から供給された所望のパスに対応するアドレスからデータを読み出すことにより所望のパスを選択することを特徴とする付記８記載の受信装置。
【０１０３】
（付記１１）  基地局から送信された信号を受信して復調する受信方法において、
前記基地局から送信され、複数のパスを経由して伝送されてきた信号を受信する受信ステップと、
前記受信ステップによって受信された受信信号のそれぞれのパスのタイミングを検出するためのパス追従ステップと、
前記パス追従ステップによって検出された複数のパスのタイミングに応じて、前記受信信号に逆拡散処理を施して復調する復調ステップと、
前記受信信号と、拡散符号との相関値を算出する相関値算出ステップと、
前記パス追従ステップによってパス追従処理を行う場合には、前記相関値算出ステップの出力を前記パス追従ステップに供給し、前記復調ステップによって受信信号を復調する場合には、前記相関値算出ステップの出力を前記復調ステップに供給する供給先選択ステップと、
を有することを特徴とする受信方法。
【０１０４】
（付記１２）  基地局から送信された信号を処理する半導体装置において、
複数のパスを経由して受信された受信信号のそれぞれのパスのタイミングを検出するためのパス追従手段と、
前記パス追従手段によって検出された複数のパスのタイミングに応じて、前記受信信号に逆拡散処理を施し、もとのデータに復調する復調手段と、
前記受信信号と、拡散符号との相関値を算出する相関値算出手段と、
前記パス追従手段によってパス追従処理を行う場合には、前記相関値算出手段の出力を前記パス追従手段に供給し、前記復調手段によって受信信号を復調する場合には、前記相関値算出手段の出力を前記復調手段に供給する供給先選択手段と、
を有することを特徴とする半導体装置。
【０１０５】
【発明の効果】
以上説明したように本発明では、基地局から送信された信号を受信して復調する受信装置において、基地局から送信され、複数のパスを経由して伝送されてきた信号を受信する受信手段と、受信手段によって受信された受信信号のそれぞれのパスのタイミングを検出するためのパス追従手段と、パス追従手段によって検出された複数のパスのタイミングに応じて、受信信号に逆拡散処理を施して復調する復調手段と、受信信号と、拡散符号との相関値を算出する相関値算出手段と、パス追従手段によってパス追従処理を行う場合には、相関値算出手段の出力をパス追従手段に供給し、復調手段によって受信信号を復調する場合には、相関値算出手段の出力を復調手段に供給する供給先選択手段と、復調手段によって復調された信号を参照し、受信信号のレベル測定を行うレベル測定手段と、を備え、パス追従手段は、相関値算出手段の出力を積分する積分手段を有し、レベル測定手段は、積分手段の出力を利用して受信信号のレベル測定を行うようにしたので、相関値算出手段を時分割で共用し、積分手段を共用することにより、回路規模を削減することが可能になる。
【図面の簡単な説明】
【図１】本発明の動作原理を説明する原理図である。
【図２】本発明の第１の実施の形態の構成例を説明するブロック図である。
【図３】図２に示す相関回路の詳細な構成例を示すブロック図である。
【図４】相関回路の他の構成例を示す図である。
【図５】図２に示す実施の形態において実行される処理の一例を説明するためのフローチャートである。
【図６】本発明の第２の実施の形態の構成例を説明するブロック図である。
【図７】本発明の第３の実施の形態の構成例を説明するブロック図である。
【図８】従来の受信装置の構成例を説明するブロック図である。
【符号の説明】
１  アンテナ
２  受信手段
３  相関値算出手段
４  供給先選択手段
５  パス追従手段
６  復調手段
７  レベル測定手段
１０  アンテナ
１１  受信回路
１２  Ａ／Ｄ変換回路
２０  パス追従部
２１  相関回路
２２  積分回路
２３  電力化回路
２４  積分回路
２５  パス選択回路
３０  データ復調部
３２  メモリ
３３  同期検波回路
３４  チャネル推定回路
４０  ＲＡＫＥ合成回路
４１  レベル測定回路
４２  電力化回路
５０  選択回路
８０−１〜８０−Ｎ  ＦＦ
８１−１〜８１−Ｎ  ＦＦ
８２−１〜８２−Ｎ  乗算回路
８３  加算回路
【図１】
0003992459.tif 000002
【図２】
0003992459.tif 000003
【図３】
0003992459.tif 000004
【図４】
0003992459.tif 000005
【図５】
0003992459.tif 000006
【図６】
0003992459.tif 000007
【図７】
0003992459.tif 000008
【図８】
0003992459.tif 000009